(57)【要約】【課題】１系統の受信系統でチャンネルスキャンを実施でき、且つ、チャンネルスキャンに要する時間を短縮することができるデジタル放送受信装置を提供する。【解決手段】デジタル放送受信装置（１）は、第１の放送方式のデジタル放送の周波数帯域の全体に対するチャンネルスキャンを実行して第１の放送方式の視聴可能チャンネルを検出して記憶部（２４）に登録し、第１の放送方式のデジタル放送の周波数帯域の全体に対するチャンネルスキャンの過程で、受信電力に基づいて第２の放送方式の視聴可能チャンネル候補を検出してチャンネル一時記憶部（２６）に記憶させる第１フェーズの処理と、チャンネル一時記憶部（２６）に記憶されている第２の放送方式の視聴可能チャンネル候補を対象にチャンネルスキャンを実行して第２の放送方式の視聴可能チャンネルを検出して記憶部（２４）に登録する第２フェーズの処理とを行う。【選択図】図１
2015130638.tif 000002
【特許請求の範囲】
【請求項１】
複数の放送方式のデジタル放送を受信可能に構成されたチューナ部と、
前記チューナ部から出力された複数の放送方式の信号を復調する復調部と、
前記復調部が出力した複数の放送方式のストリームから選局情報を分離するデマルチプレクス部と、
前記チューナ部、前記復調部及び前記デマルチプレクス部を制御してチャンネルスキャン処理を実行するスキャン制御部と、
チャンネル一時記憶部と、
記憶部とを備え、
前記チャンネルスキャン処理は、
前記複数の放送方式の内の第１の放送方式のデジタル放送の周波数帯域の全体に対するチャンネルスキャンを実行して前記第１の放送方式の視聴可能チャンネルを検出して前記記憶部に登録し、前記第１の放送方式のデジタル放送の周波数帯域の全体に対するチャンネルスキャンの過程で、受信電力に基づいて前記複数の放送方式の内の第２の放送方式の視聴可能チャンネル候補を検出して前記チャンネル一時記憶部に記憶させる第１フェーズの処理と、
前記チャンネル一時記憶部に記憶されている前記第２の放送方式の視聴可能チャンネル候補を対象にチャンネルスキャンを実行して前記第２の放送方式の視聴可能チャンネルを検出して前記記憶部に登録する第２フェーズの処理とを含む、
ことを特徴とするデジタル放送受信装置。
【請求項２】
複数の放送方式のデジタル放送を受信可能に構成されたチューナ部と、
前記複数の放送方式に対応する複数の復調処理ロジックのいずれかに切替可能であり、前記チューナ部から出力された複数の放送方式の信号を復調する復調部と、
前記復調部が出力した複数の放送方式のストリームから選局情報を分離するデマルチプレクス部と、
前記チューナ部、前記復調部及び前記デマルチプレクス部を制御してチャンネルスキャン処理を実行するスキャン制御部と、
記憶部とを備え、
前記チャンネルスキャン処理では、
前記複数の放送方式の内の第１の放送方式及び第２の放送方式のデジタル放送の周波数帯域の全体に対するチャンネルスキャンを実行し、前記第１の放送方式の視聴可能チャンネルを検出して前記記憶部に登録し、
前記チャンネルスキャンの過程で、前記第１の放送方式の視聴可能チャンネルではないが前記第２の放送方式の復調処理ロジックで復調できた信号を前記第２の放送方式の視聴可能チャンネルとして前記記憶部に登録する
ことを特徴とするデジタル放送受信装置。
【請求項３】
複数の放送方式のデジタル放送を受信可能に構成されたチューナ部と、
前記複数の放送方式に対応する複数の復調処理ロジックのいずれかに切替可能であり、前記チューナ部から出力された複数の放送方式の信号を復調する復調部と、
前記復調部が出力した複数の放送方式のストリームから選局情報を分離するデマルチプレクス部と、
前記チューナ部、前記復調部及び前記デマルチプレクス部を制御してチャンネルスキャン処理を実行するスキャン制御部と、
記憶部とを備え、
前記チャンネルスキャン処理では、
前記複数の放送方式の内の第１の放送方式及び第２の放送方式のデジタル放送の周波数帯域の全体に対するチャンネルスキャンを実行し、前記第１の放送方式の視聴可能チャンネルを検出して前記記憶部に登録し、
前記チャンネルスキャンの過程で、前記第１の放送方式の視聴可能チャンネルではないが受信電力がある閾値以上存在する場合に、前記第２の放送方式の視聴可能チャンネルかを検出する処理を実施し、該視聴可能チャンネルであった場合に前記第２の放送方式の視聴可能チャンネルとして前記記憶部に登録する
ことを特徴とするデジタル放送受信装置。
【請求項４】
前記視聴可能チャンネルとなり得る受信電力の最小値がより小さい放送方式を前記第１の放送方式とすることを特徴とする請求項１から３のいずれか１項に記載のデジタル放送受信装置。
【請求項５】
現在位置情報を取得する現在位置取得部と、
前記複数の放送方式の各々の運用チャンネル数を地域毎に保持するメモリと
をさらに備え、
前記スキャン制御部は、前記複数の放送方式の中から、前記現在位置取得部が取得する現在位置において運用チャンネル数の多い放送方式を前記第１の放送方式とする
ことを特徴とする請求項１から３のいずれか１項に記載のデジタル放送受信装置。
【請求項６】
前記スキャン制御部は、前記複数の放送方式の内の運用チャンネル数の多い方の放送方式を前記第１の放送方式とすることを特徴とする請求項１又は２に記載のデジタル放送受信装置。
【請求項７】
前記スキャン制御部は、前記複数の放送方式の中から、前記復調部における復調処理時間が短い放送方式を選択し、前記選択された放送方式を前記第１の放送方式とする
ことを特徴とする請求項１又は２に記載のデジタル放送受信装置。
【請求項８】
複数の放送方式のデジタル放送を受信可能に構成されたチューナ部と、
前記チューナ部から出力された複数の放送方式の信号を復調する復調部と、
前記復調部が出力した複数の放送方式のストリームから選局情報を分離するデマルチプレクス部と、
前記チューナ部、前記復調部及び前記デマルチプレクス部を制御してチャンネルスキャン処理を実行するスキャン制御部と、
チャンネル一時記憶部と、
記憶部とを備え、
前記スキャン制御部は、前記チャンネルスキャン処理として、
前記複数の放送方式の内の第１の放送方式のデジタル放送の周波数帯域の全体に対するチャンネルスキャンを実行して前記第１の放送方式の視聴可能チャンネルを検出して前記記憶部に登録し、前記第１の放送方式のデジタル放送の周波数帯域の全体に対するチャンネルスキャンの過程で、受信電力に基づいて前記複数の放送方式の内の第２の放送方式の視聴可能チャンネル候補を検出して前記チャンネル一時記憶部に記憶させる第１フェーズの処理と、前記チャンネル一時記憶部に記憶されている前記第２の放送方式の視聴可能チャンネル候補を対象にチャンネルスキャンを実行して前記第２の放送方式の視聴可能チャンネルを検出して前記記憶部に登録する第２フェーズの処理とを含む第１のチャンネルスキャン処理、及び、
前記複数の放送方式の内の第１の放送方式及び第２の放送方式のデジタル放送の周波数帯域の全体に対するチャンネルスキャンを実行し、前記第１の放送方式の視聴可能チャンネルを検出して前記記憶部に登録し、前記チャンネルスキャンの過程で、前記第１の放送方式の視聴可能チャンネルではないが前記第２の放送方式の復調処理ロジックで復調できた信号を前記第２の放送方式の視聴可能チャンネルとして前記記憶部に登録する第２のチャンネルスキャン処理のいずれかを選択する
ことを特徴とするデジタル放送受信装置。
【請求項９】
前記スキャン制御部は、復調処理ロジック切替時間、チューニング時間、放送方式運用チャンネル数を用いて前記第１のチャンネルスキャン処理に要する時間と前記第２のチャンネルスキャン処理に要する時間とを算出し、前記第１のチャンネルスキャン処理及び前記第２のチャンネルスキャン処理の内の処理に要する時間が短い処理を選択して実行することを特徴とする請求項１、２及び８のいずれか１項に記載のデジタル放送受信装置。
【請求項１０】
複数の放送方式のデジタル放送を受信可能に構成されたチューナ部と、
前記チューナ部から出力された複数の放送方式の信号を復調する復調部と、
前記復調部が出力した複数の放送方式のストリームから選局情報を分離するデマルチプレクス部と、
前記チューナ部、前記復調部及び前記デマルチプレクス部を制御してチャンネルスキャン処理を実行するスキャン制御部と、
記憶部とを備え、
前記複数の放送方式の内の第１の放送方式及び第２の放送方式のデジタル放送の周波数帯域の全体に対するチャンネルスキャン処理を実行する過程において、
前記チューナ部が対象チャンネルをチューニングした後に、前記スキャン制御部が前記第１の放送方式の放送波の存在確認を行い、
前記第１の放送方式の放送波が存在すると判定されたときには、前記復調部による前記第１の放送方式の復調処理及び前記デマルチプレクス部によるデータ取得処理を行い、
前記第１の放送方式の放送波が存在しないと判定されたときには、前記第２の放送方式の放送波の存在確認を行わない
ことを特徴とするデジタル放送受信装置。
【請求項１１】
前記複数の放送方式の内の第１の放送方式及び第２の放送方式のデジタル放送の周波数帯域の全体に対するチャンネルスキャン処理を実行する過程において、
前記チューナ部が対象チャンネルをチューニングした後に、前記スキャン制御部が前記第１の放送方式の放送波の存在確認を行い、前記放送波が存在すると判定されたときには、
前記復調部による前記第１の放送方式の復調処理及び前記デマルチプレクス部によるデータ取得処理を行い、
その結果、予め決められたデータが取得できないときには、前記復調部による前記第２の放送方式の復調処理及び前記デマルチプレクス部によるデータ取得処理を行う
ことを特徴とする請求項１０に記載のデジタル放送受信装置。
【請求項１２】
前記スキャン制御部は、複数の放送方式の運用チャンネル数を含む情報を記憶するメモリを有し、
前記スキャン制御部は、前記複数の放送方式の内の運用チャンネル数の多い放送方式を前記第１の放送方式とする
ことを特徴とする請求項１０にデジタル放送受信装置。
【請求項１３】
前記スキャン制御部は、前記複数の放送方式の内の運用チャンネル数の多い放送方式を前記第１の放送方式とすることを特徴とする請求項１０にデジタル放送受信装置。
【請求項１４】
前記第１の放送方式はＤＶＢ−Ｔ２方式であり、前記第２の放送方式はＤＶＢ−Ｔ方式であることを特徴とする請求項１０から１３のいずれか１項に記載のデジタル放送受信装置。
【請求項１５】
前記復調部は、
前記チューナ部から出力された複数の放送方式の信号を復調する処理を行う復調処理部と、
前記チューナ部から出力された複数の放送方式の信号の放送方式を検出する放送方式検出部とを有し、
前記放送方式検出部は、データシンボルに対して、該データとＦＦＴサイズ分遅延させたデータとの積又は排他論理和を行うことで、受信放送波の伝送モードを検出し、検出した前記積又は排他的論理和の出力からガードインターバル値を求め、該伝送モード及びガードインターバルの組み合わせが当該放送方式に特有の組み合わせである場合に、当該放送波を受信中であると判断する
ことを特徴とする請求項１０から１４のいずれか１項に記載のデジタル放送受信装置。
【請求項１６】
複数の放送方式のデジタル放送を受信する視聴用の受信系統をさらに備え、
前記視聴用の受信系統は、前記記憶部に記憶されている情報を参照して視聴用の受信チャンネルを選局する
ことを特徴とする請求項１から１５のいずれか１項に記載のデジタル放送受信装置。
【請求項１７】
前記記憶部に記憶されている情報を参照して前記チューナ部及び前記復調部に視聴用の受信チャンネルを選局させる選局制御部をさらに備えたことを特徴とする請求項１から１５のいずれか１項に記載のデジタル放送受信装置。
【発明の詳細な説明】
【技術分野】
【０００１】
本発明は、デジタル放送受信装置に関する。
【背景技術】
【０００２】
一般に、デジタル放送受信装置は、デジタル放送に割り振られている電波の周波数帯域において予めチャンネルスキャンを実行して、視聴可能チャンネルを予め記憶（プリセット）している。チャンネルスキャンを実施している期間には、放送番組が一時的に視聴できない又は受信性能が一時的に低下することがあるため、チャンネルスキャンに要する時間は短時間であることが望ましい。チャンネルスキャンに要する時間を短縮する技術として、例えば、特許文献１に記載された技術がある。この技術を採用したデジタル放送受信装置は、２つの受信系統を備え、チャンネルスキャンの対象となる周波数帯域の全体を２つの受信系統で分担し、２つの受信系統の各々は分担された周波数帯域の各々に対してチャンネルスキャンを実施する。このチャンネルスキャンにおいて２つの受信系統の各々が対象とする放送方式のチャンネルを検出することができなかったときには、チャンネルスキャンの対象とする放送方式以外の放送方式のチャンネルのチャンネル番号（物理チャンネル）を、互いに他方の受信系統に渡す。そして、２つの受信系統の各々は、次のチャンネルスキャンにおいて、他方の受信系統から渡されたチャンネル番号のチャンネルをスキャンする。
【先行技術文献】
【特許文献】
【０００３】
【特許文献１】ＷＯ２０１２／０５６９２６号公報（図１）
【発明の概要】
【発明が解決しようとする課題】
【０００４】
特許文献１に記載されたデジタル放送受信装置は、２つの受信系統が周波数帯域を分担してチャンネルスキャンを実施することでチャンネルスキャンに要する時間の短縮を実現しているものの、２つの受信系統が並行してチャンネルスキャンを行う必要があるという問題がある。その結果、受信系統が２系統の場合には、チャンネルスキャンを実施している期間は放送番組の視聴ができなくなる。
【０００５】
そこで、本発明は、上記従来技術の課題を解決するためになされたものであり、１系統の受信系統でチャンネルスキャンを実施でき、且つ、チャンネルスキャンに要する時間を短縮することができるデジタル放送受信装置を提供することを目的とする。
【課題を解決するための手段】
【０００６】
本発明の一態様に係るデジタル放送受信装置は、複数の放送方式のデジタル放送を受信可能に構成されたチューナ部と、前記チューナ部から出力された複数の放送方式の信号を復調する復調部と、前記復調部が出力した複数の放送方式のストリームから選局情報を分離するデマルチプレクス部と、前記チューナ部、前記復調部及び前記デマルチプレクス部を制御してチャンネルスキャン処理を実行するスキャン制御部と、チャンネル一時記憶部と、記憶部とを備え、前記チャンネルスキャン処理は、前記複数の放送方式の内の第１の放送方式のデジタル放送の周波数帯域の全体に対するチャンネルスキャンを実行して前記第１の放送方式の視聴可能チャンネルを検出して前記記憶部に登録し、前記第１の放送方式のデジタル放送の周波数帯域の全体に対するチャンネルスキャンの過程で、受信電力に基づいて前記複数の放送方式の内の第２の放送方式の視聴可能チャンネル候補を検出して前記チャンネル一時記憶部に記憶させる第１フェーズの処理と、前記チャンネル一時記憶部に記憶されている前記第２の放送方式の視聴可能チャンネル候補を対象にチャンネルスキャンを実行して前記第２の放送方式の視聴可能チャンネルを検出して前記記憶部に登録する第２フェーズの処理とを含む、ことを特徴とする。
【０００７】
本発明の他の態様に係るデジタル放送受信装置は、複数の放送方式のデジタル放送を受信可能に構成されたチューナ部と、前記複数の放送方式に対応する複数の復調処理ロジックのいずれかに切替可能であり、前記チューナ部から出力された複数の放送方式の信号を復調する復調部と、前記復調部が出力した複数の放送方式のストリームから選局情報を分離するデマルチプレクス部と、前記チューナ部、前記復調部及び前記デマルチプレクス部を制御してチャンネルスキャン処理を実行するスキャン制御部と、記憶部とを備え、前記チャンネルスキャン処理は、前記複数の放送方式の内の第１の放送方式及び第２の放送方式のデジタル放送の周波数帯域の全体に対するチャンネルスキャンを実行し、前記第１の放送方式の視聴可能チャンネルを検出して前記記憶部に登録し、前記チャンネルスキャンの過程で、前記第１の放送方式の視聴可能チャンネルではないが前記第２の放送方式の復調処理ロジックで復調できた信号を前記第２の放送方式の視聴可能チャンネルとして前記記憶部に登録することを特徴とする。
【０００８】
本発明のさらに他の態様に係るデジタル放送受信装置は、複数の放送方式のデジタル放送を受信可能に構成されたチューナ部と、前記チューナ部から出力された複数の放送方式の信号を復調する復調部と、前記復調部が出力した複数の放送方式のストリームから選局情報を分離するデマルチプレクス部と、前記チューナ部、前記復調部及び前記デマルチプレクス部を制御してチャンネルスキャン処理を実行するスキャン制御部と、チャンネル一時記憶部と、記憶部とを備え、前記スキャン制御部は、前記チャンネルスキャン処理として、前記複数の放送方式の内の第１の放送方式のデジタル放送の周波数帯域の全体に対するチャンネルスキャンを実行して前記第１の放送方式の視聴可能チャンネルを検出して前記記憶部に登録し、前記第１の放送方式のデジタル放送の周波数帯域の全体に対するチャンネルスキャンの過程で、受信電力に基づいて前記複数の放送方式の内の第２の放送方式の視聴可能チャンネル候補を検出して前記チャンネル一時記憶部に記憶させる第１フェーズの処理と、前記チャンネル一時記憶部に記憶されている前記第２の放送方式の視聴可能チャンネル候補を対象にチャンネルスキャンを実行して前記第２の放送方式の視聴可能チャンネルを検出して前記記憶部に登録する第２フェーズの処理とを含む第１のチャンネルスキャン処理、及び、前記複数の放送方式の内の第１の放送方式及び第２の放送方式のデジタル放送の周波数帯域の全体に対するチャンネルスキャンを実行し、前記第１の放送方式の視聴可能チャンネルを検出して前記記憶部に登録し、前記チャンネルスキャンの過程で、前記第１の放送方式の視聴可能チャンネルではないが前記第２の放送方式の復調処理ロジックで復調できた信号を前記第２の放送方式の視聴可能チャンネルとして前記記憶部に登録する第２のチャンネルスキャン処理のいずれかを選択することを特徴とする。
【０００９】
また、本発明のさらに他の態様に係るデジタル放送受信装置は、複数の放送方式のデジタル放送を受信可能に構成されたチューナ部と、前記チューナ部から出力された複数の放送方式の信号を復調する復調部と、前記復調部が出力した複数の放送方式のストリームから選局情報を分離するデマルチプレクス部と、前記チューナ部、前記復調部及び前記デマルチプレクス部を制御してチャンネルスキャン処理を実行するスキャン制御部と、記憶部とを備え、前記複数の放送方式の内の第１の放送方式及び第２の放送方式のデジタル放送の周波数帯域の全体に対するチャンネルスキャン処理を実行する過程において、前記チューナ部が対象チャンネルをチューニングした後に、前記スキャン制御部が前記第１の放送方式の放送波の存在確認を行い、前記第１の放送方式の放送波が存在すると判定されたときには、前記復調部による前記第１の放送方式の復調処理及び前記デマルチプレクス部によるデータ取得処理を行い、前記第１の放送方式の放送波が存在しないと判定されたときには、前記第２の放送方式の放送波の存在確認を行わないことを特徴とする。
【発明の効果】
【００１０】
本発明においては、第１の放送方式の視聴可能チャンネルを記憶部に登録するための第１の放送方式のデジタル放送に対するチャンネルスキャンおいて、他の放送方式の視聴可能チャンネル候補が検出された場合には、この検出結果を一時記憶した後に又はこの検出の直後に、視聴可能チャンネル候補について第２の放送方式の視聴可能チャンネルであるかの判定をし、第２の放送方式の視聴可能チャンネルであれば記憶部に登録する。このように、本発明においては、第２の放送方式の視聴可能チャンネルの検出を、第１の放送方式のデジタル放送に対するチャンネルスキャンにおいて検出された視聴可能チャンネル候補を利用して行うので、第２の放送方式の視聴可能チャンネルの検出に要する時間を短縮することができる。よって、本発明によれば、複数の放送方式の視聴可能チャンネルを検出し登録するための処理に要する時間を短縮することができる。
【００１１】
また、本発明においては、１つの受信系統で複数の放送方式の視聴可能チャンネルを検出し登録するので、複数の受信系統を有するデジタル放送受信装置であれば、チャンネルスキャンを実施している期間であっても、放送番組を視聴することができる。
【図面の簡単な説明】
【００１２】
【図１】本発明の実施の形態１に係るデジタル放送受信装置の構成を概略的に示すブロック図である。
【図２】実施の形態１に係るデジタル放送受信装置のチャンネルスキャン時のスキャン制御部の動作を示すフローチャートである。
【図３】実施の形態１に係るデジタル放送受信装置のスキャン制御部による第１フェーズにおける放送方式Ａのチャンネルに対するチャンネルスキャン処理を示すフローチャートである。
【図４】実施の形態１に係るデジタル放送受信装置のスキャン制御部による第２フェーズにおける放送方式Ｂのチャンネルに対するチャンネルスキャン処理を示すフローチャートである。
【図５】実施の形態１に係るデジタル放送受信装置のスキャン制御部によるチャンネルスキャン動作を示す図である。
【図６】本発明の実施の形態２に係るデジタル放送受信装置の構成を概略的に示すブロック図である。
【図７】実施の形態２に係るデジタル放送受信装置のスキャン制御部によるチャンネルスキャン処理を示すフローチャートである。
【図８】本発明の実施の形態３に係るデジタル放送受信装置の構成を概略的に示すブロック図である。
【図９】本発明の実施の形態４に係るデジタル放送受信装置の構成を概略的に示すブロック図である。
【図１０】実施の形態４に係るデジタル放送受信装置の第２の復調部の構成を概略的に示すブロック図である。
【図１１】（ａ）及び（ｂ）は、ＤＶＢ−Ｔ２フレーム構造及びＤＶＢ−Ｔ２で運用される伝送モードとガードインターバルを示す図である。
【図１２】（ａ）及び（ｂ）は、ＤＶＢ−Ｔフレーム構造及びＤＶＢ−Ｔで運用される伝送モードとガードインターバルを示す図である。
【図１３】実施の形態４に係るデジタル放送受信装置の第２の復調部内の放送方式検出部の構成を概略的に示すブロック図である。
【図１４】実施の形態４に係るデジタル放送受信装置のＤＶＢ−Ｔ２放送波検出部の構成を示すブロック図である。
【図１５】実施の形態４に係るデジタル放送受信装置のＤＶＢ−Ｔ放送波検出部の構成を示すブロック図である。
【図１６】実施の形態４に係るデジタル放送受信装置のＤＶＢ−Ｔ２放送波検出部及びＤＶＢ−Ｔ放送波検出部の動作を示す図である。
【図１７】実施の形態４に係るデジタル放送受信装置のスキャン制御部によるチャンネルスキャン処理を示すフローチャートである。
【図１８】本発明の実施の形態５に係るデジタル放送受信装置の構成を概略的に示すブロック図である。
【図１９】本発明の実施の形態６に係るデジタル放送受信装置の構成を概略的に示すブロック図である。
【発明を実施するための形態】
【００１３】
実施の形態１．
図１は、実施の形態１に係るデジタル放送受信装置１の構成を概略的に示すブロック図である。図１に示されるように、デジタル放送受信装置１は、複数の放送方式のデジタル放送を受信可能な視聴用の受信系統である第１の受信系統１０と、複数の放送方式のデジタル放送を受信可能なチャンネルスキャン用の受信系統である第２の受信系統２０とを有する。第１の受信系統１０は、チューナ部（第１のチューナ部）１１と、復調部（第１の復調部）１２と、デマルチプレクス部（第１のデマルチプレクス部）１３と、デコード部１４と、映像音声出力部１５と、選局制御部１６とを有する。第２の受信系統２０は、チューナ部（第２のチューナ部）２１と、復調部（第２の復調部）２２と、デマルチプレクス部（第２のデマルチプレクス部）２３と、記憶部２４と、スキャン制御部２５と、チャンネル一時記憶部２６とを有する。実施の形態１に係るデジタル放送受信装置１は、チャンネルスキャン処理において、複数の放送方式の内の第１の放送方式のデジタル放送の周波数帯域の全体に対するチャンネルスキャンを実行して第１の放送方式の視聴可能チャンネルを検出して記憶部２４に登録し、第１の放送方式のデジタル放送の周波数帯域の全体に対するチャンネルスキャンの過程で、受信電力に基づいて複数の放送方式の内の第２の放送方式の視聴可能チャンネル候補を検出してチャンネル一時記憶部２６に記憶させる第１フェーズの処理と、チャンネル一時記憶部２６に記憶されている第２の放送方式の視聴可能チャンネル候補を対象にチャンネルスキャンを実行して第２の放送方式の視聴可能チャンネルを検出して記憶部２４に登録する第２フェーズの処理とを含むことを特徴としている。チャンネルスキャン処理の詳細は、後述する。
【００１４】
第１のチューナ部１１は、アンテナ３１を介して電波（放送波を含む）を受信する。第１のチューナ部１１は、選局制御部１６からの指示信号によって指定された物理チャンネル（チャンネル番号）の周波数にチューニングされる。第１のチューナ部１１は、アンテナ３１を介して受信された電波の内の、チューニングによって選局された周波数の電波に基づく電気信号を生成し、この生成された電気信号を第１の復調部１２に与える。
【００１５】
第１の復調部１２は、第１のチューナ部１１から与えられた電気信号に対して復調処理を行って、第１のデジタル信号を生成し、この生成された第１のデジタル信号を第１のデマルチプレクス部１３に与える。この第１のデジタル信号は、例えば、ＤＶＢ−Ｔ２（Ｄｉｇｉｔａｌ  Ｖｉｄｅｏ  Ｂｒｏａｄｃａｓｔｉｎｇ−Ｔｅｒｒｅｓｔｒｉａｌ  ２）、ＤＶＢ−Ｔ（Ｄｉｇｉｔａｌ  Ｖｉｄｅｏ  Ｂｒｏａｄｃａｓｔｉｎｇ−Ｔｅｒｒｅｓｔｒｉａｌ）、ＤＶＢ−Ｈ（Ｄｉｇｉｔａｌ  Ｖｉｄｅｏ  Ｂｒｏａｄｃａｓｔｉｎｇ−Ｈａｎｄｈｅｌｄ）、ＤＴＭＢ（Ｄｉｇｉｔａｌ  Ｔｅｒｒｅｓｔｒｉａｌ  Ｍｕｌｔｉｍｅｄｉａ  Ｂｒｏａｄｃａｓｔ）、ＣＭＭＢ（Ｃｈｉｎａ  Ｍｏｂｉｌｅ  Ｍｕｌｔｉｍｅｄｉａ  Ｂｒｏａｄｃａｓｔｉｎｇ）、Ｔ−ＤＭＢ（Ｔｅｒｒｅｓｔｒｉａｌ−Ｄｉｇｉｔａｌ  Ｍｅｄｉａ  Ｂｒｏａｄｃａｓｔｉｎｇ）、ＤＡＢ（Ｄｉｇｉｔａｌ  Ａｕｄｉｏ  Ｂｒｏａｄｃａｓｔ）、ＡＴＳＣ（Ａｄｖａｎｃｅｄ  Ｔｅｌｅｖｉｓｉｏｎ  Ｓｙｓｔｅｍｓ  Ｃｏｍｍｉｔｔｅｅ）、ＡＴＳＣ−Ｍ／Ｈ（Ａｄｖａｎｃｅｄ  Ｔｅｌｅｖｉｓｉｏｎ  Ｓｙｓｔｅｍｓ  Ｃｏｍｍｉｔｔｅｅ−Ｍｏｂｉｌｅ／Ｈａｎｄｈｅｌｄ）、及びＩＳＤＢ−Ｔ（Ｉｎｔｅｇｒａｔｅｄ  Ｓｅｒｖｉｃｅｓ  Ｄｉｇｉｔａｌ  Ｂｒｏａｄｃａｓｔｉｎｇ−Ｔｅｒｒｅｓｔｒｉａｌ）などの放送方式に準拠したストリームであり、放送方式ごとにストリームのフォーマットが異なる。第１の復調部１２は、複数の放送方式の復調が可能に構成されており、選局制御部１６から復調対象の信号の放送方式を指示する指示信号が与えられる。この指示信号を受信すると、第１の復調部１２は、実施する復調処理を、指定された放送方式の復調処理ロジックに従う復調処理に切り替え、この復調処理ロジックに従う復調処理を開始する。そして、第１の復調部１２は、指定された放送方式の信号が検出できたか否かの結果を、選局制御部１６に通知する。なお、第１のチューナ部１１及び第１の復調部１２は、ダイバーシティ処理を行い、１つの第１のデジタル信号を出力するものであってもよい。
【００１６】
第１のデマルチプレクス部１３は、第１の復調部１２によって復調された第１のデジタル信号から特定のサービスの映像圧縮データ及び音声圧縮データを分離し、これらの分離されたデータをデコード部１４に与える。
【００１７】
デコード部１４は、第１のデマルチプレクス部１３から与えられた各放送規格で規定された様々な映像圧縮データ及び音声圧縮データを復号する。デコード部１４は、復号済みの映像信号及び音声信号を映像音声出力部１５に与える。映像音声出力部１５は、デコード部１４から与えられた映像信号及び音声信号を映像表示装置などのような外部装置に出力する。
【００１８】
選局制御部１６は、第２の受信系統２０で実施されたチャンネルスキャンの結果及び記憶部２４に格納されたサービスリストを参照し、ユーザによる操作部からの選択操作などによって指定された選局先サービスについての物理チャンネルを取得する。選局制御部１６は、取得された物理チャンネルの周波数にチューニングする処理を指示するための指示信号を第１のチューナ部１１に与える。
【００１９】
第２のチューナ部２１は、アンテナ３２を介して電波（放送波を含む）を受信して、この受信された電波に基づく電気信号を生成し、この生成された電気信号を第２の復調部２２に与える。第２のチューナ部２１は、スキャン制御部２５からの指示信号によって指定された物理チャンネルの周波数にチューニングされ、その指定された物理チャンネルで受信された電波の受信レベルの判定結果を、スキャン制御部２５に通知する。
【００２０】
第２の復調部２２は、第２のチューナ部２１から与えられた電気信号に対して復調処理を行って、第２のデジタル信号を生成し、この生成された第２のデジタル信号を第２のデマルチプレクス部２３に与える。この第２のデジタル信号は、例えば、ＤＶＢ−Ｔ２、ＤＶＢ−Ｔ、ＤＶＢ−Ｈ、ＤＴＭＢ、ＣＭＭＢ、Ｔ−ＤＭＢ、ＤＡＢ、ＡＴＳＣ、ＡＴＳＣ−Ｍ／Ｈ、及びＩＳＤＢ−Ｔなどの各放送方式に準拠したストリームであり、放送方式ごとにフォーマットが異なる。第２の復調部２２は、複数の放送方式の復調が可能に構成されており、スキャン制御部２５から復調対象の信号の放送方式を指示する指示信号が第２の復調部２２に与えられる。この指示信号を受信すると、第２の復調部２２は、実施する復調処理を、指定された放送方式の復調処理ロジックに従う復調処理に切り替えて、復調処理を開始する。第２の復調部２２は、復調処理に際し、例えば、ＤＶＢ−Ｔ２、ＤＶＢ−Ｔ、ＤＶＢ−Ｈ、ＤＴＭＢ、ＣＭＭＢ、Ｔ−ＤＭＢ、ＤＡＢ、ＡＴＳＣ、ＡＴＳＣ−Ｍ／Ｈ、及びＩＳＤＢ−Ｔの内の複数のフレームの同期が確立できた場合にフレームロックしたストリームを出力することができる。また、第２の復調部２２は、例えば、フレームロックできたことにより、指定された放送方式を検出することができたと判定し、この判定結果を放送検出可否判定結果としてスキャン制御部２５に通知する。なお、第２のチューナ部２１及び第２の復調部２２は、ダイバーシティ処理を行い、１つの第２のデジタル信号を出力するものであってもよい。
【００２１】
第２のデマルチプレクス部２３は、復調された第２のデジタル信号から、選局に必要な情報が格納されている番組特定情報及びサービス情報を分離して、分離された番組特定情報及びサービス情報をスキャン制御部２５に与える。例えば、ストリームがトランスポートストリーム（ＴＳ）の場合には、番組特定情報及びサービス情報は、ＰＳＩ（Ｐｒｏｇｒａｍ−ｓｐｅｃｉｆｉｃ  ｉｎｆｏｒｍａｔｉｏｎ）データ及びＳＩ（Ｓｅｒｖｉｃｅ  Ｉｎｆｏｒｍａｔｉｏｎ）に相当する情報、すなわち、ＰＳＩ／ＳＩデータである。
【００２２】
記憶部２４は、複数の放送方式で放送されるサービスを受信するために必要な情報を記憶する。例えば、記憶部２４は、放送ネットワークの情報、放送サービスの情報及び放送サービスの伝送物理チャンネルを含む選局情報を、チャンネル毎にサービスリストとして記憶する。
【００２３】
チャンネル一時記憶部２６は、複数の放送方式のチャンネルを効率よくチャンネルスキャンするために必要なチャンネル情報を記憶する。チャンネル一時記憶部２６に記憶されたチャンネル情報は、ある放送方式の放送波のチャンネルスキャンの過程でスキャン制御部２５から与えられた情報であり、その後、別の放送方式のチャンネルスキャン時にスキャン制御部２５によって参照される。
【００２４】
スキャン制御部２５は、第２のデマルチプレクス部２３より与えられたＰＳＩ／ＳＩデータから選局情報を抽出し、この抽出された選局情報を記憶部２４のサービスリストに登録する処理を行う。例えば、スキャン制御部２５は、ネットワークの情報として、ネットワーク識別値であるＮｅｒｗｏｒｋ＿ＩＤ、並びに、そのネットワーク内に存在する親局及び中継局の送信周波数を、ＮＩＴ（Ｎｅｔｗｏｒｋ＿Ｉｎｆｏｒｍａｔｉｏｎ＿Ｔａｂｌｅ）から抽出する。また、スキャン制御部２５は、ＴＳ（Ｔｒａｎｓｐｏｒｔ＿Ｓｔｒｅａｍ）の情報として、そのＴＳの識別値であるＴＳ＿ＩＤ（Ｔｒａｎｓｐｏｒｔ＿Ｓｔｒｅａｍ＿ＩＤ）を、ＮＩＴ及びＰＡＴ（Ｐｒｏｇｒａｍ＿Ａｓｓｏｃｉａｔｉｏｎ＿Ｔａｂｌｅ）から抽出する。さらに、スキャン制御部２５は、ＴＳに多重化された各サービスの情報として、各サービスの識別値であるＳＶＣ＿ＩＤ（Ｓｅｒｖｉｃｅ＿ＩＤ）を、ＳＤＴ（Ｓｅｒｖｉｃｅ＿Ｄｅｓｃｒｉｐｔｉｏｎ＿Ｔａｂｌｅ）から抽出する。これらのネットワークの情報、ＴＳの情報、サービスの情報、及び各サービスの伝送物理チャンネル情報は、サービスを選択するために必要な選局情報であり、チャンネルスキャン時に物理チャンネル毎に第２のデジタル信号から抽出される。また、スキャン制御部２５は、複数の放送波を効率よくチャンネルスキャンするために、後述するスキャン制御方式を行うが、その際、チューニングした結果、受信信号レベルが高いにもかかわらず、特定の放送方式が検出できなかった場合に、その物理チャンネルをチャンネル情報としてチャンネル一時記憶部２６に格納する。その後、スキャン制御部２５は、チャンネル一時記憶部２６に一時記憶した物理チャンネルを参照し、別の放送方式が受信することができるかを確認する。
【００２５】
次に、実施の形態１に係るデジタル放送受信装置１のチャンネルスキャン動作について詳細に説明する。実施の形態１に係るデジタル放送受信装置１は、視聴用の受信系統である第１の受信系統１０とチャンネルスキャン用の受信系統である第２の受信系統２０とを備えているため、一方の受信系統を用いてチャンネルスキャンを実施しながら、他方の受信系統を用いて放送番組を視聴することができる。実施の形態１に係るデジタル放送受信装置１は、特に、移動体（自動車、列車など）に搭載された場合に、優れた効果を発揮する。移動体におけるデジタル放送の視聴では、移動体が視聴中の番組を放送する放送エリアを超えて移動すると、視聴できていた放送番組が視聴できなくなる。そのため、実施の形態１に係るデジタル放送受信装置１においては、チャンネルスキャン用の第２の受信系統２０で常時、放送周波数帯域のチャンネルスキャンを繰り返し、記憶部２４内のサービスリストを、受信可能なサービスで更新し続ける。
【００２６】
チャンネルスキャン用の受信系統の動作について、第１放送方式として放送方式Ａ、第２放送方式として放送方式Ｂを受信対象とする場合の動作例について以下に説明する。このように、同一周波数帯域内で複数の放送方式が運用される例としては、欧州におけるＤＶＢ−Ｔ２とＤＶＢ−Ｔ、並びに、中国におけるＤＴＭＢとＣＭＭＢを挙げることができる。ただし、本発明が適用可能なデジタル放送受信装置における放送方式Ａ，Ｂは、上記例に限定されない。
【００２７】
図２は、実施の形態１に係るデジタル放送受信装置１のスキャン制御部２５のチャンネルスキャン時の動作を示すフローチャートである。図２に示されるように、デジタル放送受信装置１は、チャンネルスキャンに際し、まず、第１フェーズで放送方式Ａに対して周波数帯域の全体内の全チャンネルをチャンネルスキャンし（ステップＳ１０１）、その後、第２フェーズで放送方式Ｂに対して特定のチャンネルをチャンネルスキャンする。その後、デジタル放送受信装置１が装備された移動体の移動に伴って受信可能なチャンネルが変わるので、デジタル放送受信装置１は、第１フェーズの放送方式Ａのチャンネルに対するチャンネルスキャン（ステップＳ１０２）及び第２フェーズの放送方式Ｂのチャンネルに対するチャンネルスキャンを、繰り返す。
【００２８】
図３は、実施の形態１に係るデジタル放送受信装置１のスキャン制御部２５による第１フェーズにおける放送方式Ａのチャンネルに対するチャンネルスキャン処理を示すフローチャートである。図３に示されるように、第１フェーズにおけるチャンネルスキャン処理に際しては、まず、スキャン制御部２５は、チューニング対象として設定されるチャンネル番号（物理チャンネル）がＨであるチャンネルを、放送方式Ａにおける全チャンネルの内の最小番号の物理チャンネルに設定し（ステップＳ２０１）、第２のチューナ部２１にチューニングの指示を行う（ステップＳ２０２）。
【００２９】
次に、第２のチューナ部２１から、受信された電波の受信レベルの判定結果がスキャン制御部２５に通知される。スキャン制御部２５は、受信された電波のレベル（受信電力）が、放送方式Ａの放送番組を視聴するために必要な最小レベルの電力を示す閾値（電力閾値）Ｔａよりも大きいか否かを判定し（ステップＳ２０３）、受信電力が閾値Ｔａよりも大きいと判定された場合は、放送方式Ａの復調開始を第２の復調部２２に指示する（ステップＳ２０４）。この指示により、第２の復調部２２は、放送方式Ａのデジタル放送が存在するか否かの確認を行い、その結果をスキャン制御部２５に通知する（ステップＳ２０５）。スキャン制御部２５は、この通知により、放送方式Ａのデジタル放送が存在すると判定した場合は、第２のデマルチプレクス部２３に放送方式Ａのデジタル放送のＰＳＩ／ＳＩデータを取得する指示を通知する（ステップＳ２０６）。次に（例えば、数秒後に）、第２の復調部２２は、ＰＳＩ／ＳＩデータが取得できたか否かを判定し（ステップＳ２０７）、取得できた場合には、ＰＳＩ／ＳＩデータから選局情報を抽出し、記憶部２４に、検出したサービス及び物理チャンネル等をサービスリストとして登録する（ステップＳ２０８）。
【００３０】
次に、スキャン制御部２５は、受信チャンネルのチャンネル番号Ｈがチャンネルスキャン対象のチャンネルのチャンネル番号の最大値（最大番号）以下であるか否かを判定し（ステップＳ２０９）、チャンネル番号の最大値以下であれば受信チャンネルのチャンネル番号Ｈを１つインクリメントし（ステップＳ２１０）、処理をステップＳ２０２のチューニング処理のステップに戻す。
【００３１】
一方、ステップＳ２０３において、受信電力が閾値Ｔａ以下であると判定された場合、又は、ステップＳ２０５において放送方式Ａのデジタル放送が存在しないと判定された場合は、スキャン制御部２５は、受信電力が閾値（電力閾値）Ｔｂより大きいか否かを判定する（ステップＳ２１１）。閾値Ｔｂは、放送方式Ｂの放送番組を視聴するために必要な最小レベルの電力を示す閾値である。受信電力が閾値Ｔｂよりも大きいと判定された場合は、スキャン制御部２５は、受信チャンネルのチャンネル番号Ｈをチャンネル一時記憶部２６に記憶させる。チャンネル一時記憶部２６に記憶させたチャンネル番号は、第２フェーズの放送方式Ｂのチャンネルに対するチャンネルスキャンにおけるチューニング対象のチャンネルである。
【００３２】
ステップＳ２１１において、受信電力が閾値Ｔｂ以下と判定された場合、又は、ステップＳ２０７において放送方式Ａのデジタル放送のＰＳＩ／ＳＩデータが受信できなかったと判定された場合は、処理はステップＳ２０９に進み、スキャン制御部２５は、次の物理チャンネルの選局の必要性を判定する。ステップＳ２０９において、受信チャンネルのチャンネル番号Ｈが放送方式Ａのチャンネルのチャンネル番号の最大値（最大番号）より大きいと判定された場合（ステップＳ２０９において判定ＮＯの場合）は、全チャンネルのチャンネルスキャンが終了したと判定した場合であり、スキャン制御部２５は、第１フェーズのチャンネルスキャンを終了する。
【００３３】
図４は、実施の形態１に係るデジタル放送受信装置１のスキャン制御部２５による第２フェーズにおける放送方式Ｂのチャンネルに対するチャンネルスキャン処理を示すフローチャートである。図４に示されるように、第２フェーズにおけるチャンネルスキャン処理に際しては、まず、放送方式Ｂのチャンネルに対するチャンネルスキャンを行うが、デジタル放送の帯域内の全チャンネルをスキャンするのではなく、第１フェーズでチャンネル一時記憶部２６に一時記憶された物理チャンネルだけをチャンネルスキャン対象のチャンネルとする。まず、スキャン制御部２５は、チャンネル一時記憶部２６に一時記憶された物理チャンネルのうち、最小番号の物理チャンネルをチューニング対象とし（ステップＳ３０１）、第２のチューナ部２１にチューニングの指示を行う（ステップＳ３０２）。
【００３４】
次に、スキャン制御部２５には、第２のチューナ部２１から、受信された電波の受信レベルの判定結果が通知される。スキャン制御部２５は、受信電力が放送方式Ｂの放送番組を視聴するために必要な最小レベルの電力を示す閾値Ｔｂよりも大きいか否かを判定し（ステップＳ３０３）、受信電力が閾値Ｔｂよりも大きいと判定された場合は、放送方式Ｂの復調開始を第２の復調部２２に指示する（ステップＳ３０４）。この指示により、第２の復調部２２は、放送方式Ｂが存在するか否かの確認を行い、その結果をスキャン制御部２５に通知する（ステップＳ３０５）。スキャン制御部２５は、この通知により放送方式Ｂが存在すると判定した場合は、第２のデマルチプレクス部２３に放送方式ＢのＰＳＩ／ＳＩデータを取得する指示を通知する（ステップＳ３０６）。その後に（例えば、数秒後に）、スキャン制御部２５は、ＰＳＩ／ＳＩデータが取得できたか否かを判定し（ステップＳ３０７）、取得できた場合は、ＰＳＩ／ＳＩデータから選局情報を抽出し、記憶部２４に、検出したサービス及び物理チャンネル等をサービスリストとして登録する（ステップＳ３０８）。
【００３５】
そして、スキャン制御部２５は、チャンネル一時記憶部２６内の第１フェーズで登録された全チャンネルのチャンネルスキャンが終了したか否かを判定し（ステップＳ３０９）、終了していなければ受信チャンネルのチャンネル番号Ｈを、チャンネル一時記憶部２６内の第１フェーズで登録された全チャンネルにおいて次に大きいチャンネル番号の物理チャンネルにし（ステップＳ３１０）、再びステップＳ３０２で次のチャンネルをチューニングする。
【００３６】
ステップＳ３０３において受信電力が閾値Ｔｂ以下と判定された場合、ステップＳ３０５において放送方式Ｂのチャンネルが存在しなかったと判定された場合、及びステップＳ３０５において放送方式Ｂのチャンネルが存在しないと第２の復調部２２から通知があった場合、或いは、ステップＳ３０７において放送方式ＢのＰＳＩ／ＳＩデータが取得されていなかった場合は、処理はステップＳ３０９に進み、スキャン制御部２５は、次の物理チャンネルのチューニングの必要性を判定する。
【００３７】
チャンネル一時記憶部２６内の第１フェーズで登録された全チャンネルのチャンネルスキャンが終了したと判定された場合（ステップＳ３０９でＹＥＳ）は、全チャンネルのチャンネルスキャンが終了した場合であり、スキャン制御部２５は、第２フェーズのチャンネルスキャンを終了する。
【００３８】
図５は、実施の形態１に係るデジタル放送受信装置１のスキャン制御部２５によるチャンネルスキャン動作を示す図である。図５においては、向かって左から右に時間が進む。図５は、放送方式Ａのチャンネルに対するチャンネルスキャンが第１フェーズで行われ、放送方式Ｂのチャンネルに対するチャンネルスキャンは第１フェーズの後の第２フェーズで実施されることを示している。
【００３９】
第１フェーズのチャンネルスキャンでは、例えば、チャンネル番号「１３ｃｈ」から昇順に第１フェーズの放送方式Ａのチャンネルに対するチャンネルスキャンが行われる。第１フェーズのチャンネルスキャンでは、チャンネル番号「６４ｃｈ」までチャンネルスキャンが行われたときに、第１フェーズのチャンネルスキャンの終了条件（図３のステップＳ２０９）により第１フェーズのチャンネルスキャンが終了している。
【００４０】
この第１フェーズの放送方式Ａのチャンネルに対するチャンネルスキャンでは、図５に示すように、スキャン制御部２５は、チャンネル番号「１４ｃｈ」に放送方式Ａを検出し、記憶部２４にサービス情報を登録している。また、チャンネル番号「２５ｃｈ」及び「３４ｃｈ」では、電波の受信レベルが閾値Ｔａよりも大きかったが、第２の復調部２２から放送方式Ａが未検出の通知を受けたため、スキャン制御部２５は、受信された電波が放送方式Ａではなかったと判断し、受信電力が閾値Ｔｂよりも大きいことを確認後（図３のステップＳ２１１）、チャンネル一時記憶部２６にチャンネル番号「２５ｃｈ」及び「３４ｃｈ」を放送方式Ｂの視聴可能チャンネル候補として一時記憶させる（図３のステップＳ２１２）。
【００４１】
次に、第２フェーズの放送方式Ｂのチャンネルに対するチャンネルスキャンでは、第１フェーズのチャンネルスキャンで、電波の受信レベルが閾値Ｔｂよりも大きいが、この電波から生成された電気信号を復調できなかったチャンネル番号「２５ｃｈ」及び「３４ｃｈ」のチャンネル（放送方式Ｂの視聴可能チャンネル候補）のみを対象にチャンネルスキャンが行われる。そして、これらチャンネルが放送方式Ｂの放送波を送信している場合には、第２の復調部２２で復調を行うことができ、スキャン制御部２５は、選局情報を抽出し記憶部２６のサービスリストに検出したサービスを登録する。
【００４２】
以上のように、実施の形態１に係るデジタル放送受信装置１は、視聴用の第１の受信系統１０は、複数の放送方式に対応した第１のチューナ部１１、第１の復調部１２、及び第１のデマルチプレクス部１３を備え、チャンネルスキャン用の第２の受信系統２０は、複数の放送方式に対応した第２のチューナ部２１、第２の復調部２２、及び第２のデマルチプレクス部２３を備え、チャンネルスキャン用の第２の受信系統２０でチャンネルスキャンを行うようにしたので、第１の受信系統１０による視聴を中断することなく、チャンネルスキャンを実行することができる。
【００４３】
また、実施の形態１に係るデジタル放送受信装置１は、チャンネルスキャン用の第２の受信系統２０が、まず、第１フェーズで放送方式Ａのチャンネルに対するチャンネルスキャンを物理チャンネルの昇順（チャンネル番号の昇順）に順に実行し、その過程で、電波の受信レベルは予め定められた閾値Ｔａよりも大きいが、この電波による電気信号を復調できなかった物理チャンネルのチャンネル番号をチャンネル一時記憶部２６に記録するようにしている。そして、その後、スキャン制御部２５は、第２フェーズの放送方式Ｂのチャンネルに対するチャンネルスキャンにおいて、チャンネル一時記憶部２６に記録されたこれらのチャンネル番号のチャンネル（放送方式Ｂの視聴可能チャンネル候補）のみ、すなわち、間引かれたチャンネル以外のチャンネルについて、チャンネルスキャンを行うようにした。このため、実施の形態１に係るデジタル放送受信装置１によれば、スキャン制御部２５が放送方式Ａと放送方式Ｂのそれぞれに対して、単純に全チャンネルをチャンネルスキャンする場合と比べて、最大で約１／２程度のチャンネルスキャンに要する時間の短縮効果がある。
【００４４】
なお、上記説明では放送方式Ａのチャンネルに対するチャンネルスキャンを先に行い、その結果を利用して放送方式Ｂのチャンネルに対するチャンネルスキャンを行う例を示した。しかし、閾値Ｔｂが閾値Ｔａより小さい場合（Ｔａ＞Ｔｂの場合）には、閾値の小さい放送方式Ｂを先にチャンネルスキャンし、次に、放送方式Ａのチャンネルに対するチャンネルスキャンを行うことが望ましい。この場合には、図３におけるステップＳ２０３でＮＯと判定された場合、すなわち、受信電力が閾値よりも小さい場合には、ステップＳ２１１において受信電力は必ず閾値よりも小さくなるため、ステップＳ２１１の処理を省略することができ、その結果、チャンネルスキャンに要する時間を一層短縮することができる。
【００４５】
また、第２の復調部２２における復調処理時間は、フレーム周期などに依存し、放送方式によって大きく異なる。また、各放送方式が運用するチャンネル数は、地域によって大きく異なる。そこで、事前に測定しておいた各放送方式の復調処理時間と、地域毎の運用チャンネル数をスキャン制御部２５内のメモリ又はデジタル放送受信装置１内の記憶部に保持しておき、現在位置取得部又はユーザからの現在地域設定等により、スキャン制御部２５は、現在位置地域を把握し、現在位置地域においてどの放送方式を先に存在確認するかを判断し動作することで、その地域における最適なスキャンシーケンスを実行し、チャンネルスキャンに要する時間を一層短縮することができる。例えば、デジタル放送受信装置１が置かれている地域で放送されている複数の放送方式の運用チャンネル数の割合の多いものを先にチャンネルスキャン対象とするように、チャンネルスキャンを実行する。このようにすることで、第２フェーズにおけるチューニング回数を減らすことができる。これは、運用チャンネル数の少ない放送方式を第１フェーズで先にチャンネルスキャンする場合に比べ、第１フェーズと第２フェーズでの合計のチューニング回数が、少なくすることができるからである。
【００４６】
また、スキャン制御部２５は、第２の復調部２２における復調処理時間や、第２のデマルチプレクス部２３における処理時間が最も短い放送方式を第１フェーズで先にチャンネルスキャンしてもよい。この方式と、チューニング後に放送方式Ａの受信確認を実施し、その結果、放送方式Ａのデジタル放送が存在しなかった場合に、続いて放送方式Ｂの受信確認を行う方式と比べると、実施の形態１の動作のほうが、第１フェーズでの放送方式のチャンネルスキャンを早く完了させることができるので、第１フェーズで実施した放送方式のサービスリストや番組をユーザに早く表示させることができる。さらに、第１フェーズで受信確認する放送方式の運用チャンネル数が多い場合、多くのサービスが早く選局可能になるので、より効果が高い。これは、例えば、最近運用が開始され、まだ運用チャンネル数の少ないＤＶＢ−Ｔ２と、早くから運用開始されている運用チャンネル数の多いＤＶＢ−Ｔを両方受信可能なデジタル放送受信装置において、復調処理時間の短いＤＶＢ−Ｔのチャンネルスキャンを第１フェーズで実施した際に上記効果が大きい。また、上記説明においては、受信電力と閾値との比較判定は、受信電力が閾値より大きいか否かの判定「受信電力＞閾値」として説明したが、受信電力が閾値以上であるか否かの判定「受信電力≧閾値」としてもよく、このことは、他の実施の形態にも当てはまる。
【００４７】
実施の形態２．
図６は、実施の形態２に係るデジタル放送受信装置２の構成を概略的に示すブロック図である。図６において、図１に示される構成要素と同一又は対応する構成要素には、図１における符号と同じ符号を付す。図６に示されるように、デジタル放送受信装置２は、複数の放送方式のデジタル放送を受信可能な視聴用の受信系統である第１の受信系統１０と、複数の放送方式のデジタル放送を受信可能なチャンネルスキャン用の受信系統である第２の受信系統２０ａとを有する。第１の受信系統１０は、第１のチューナ部１１と、第１の復調部１２と、第１のデマルチプレクス部１３と、デコード部１４と、映像音声出力部１５と、選局制御部１６とを有する。第２の受信系統２０ａは、第２のチューナ部２１と、第２の復調部２２と、第２のデマルチプレクス部２３と、記憶部２４と、スキャン制御部２７とを有する。実施の形態２に係るデジタル放送受信装置２は、実施の形態１におけるチャンネル一時記憶部２６を有していない点、及び、スキャン制御部２７の動作が、実施の形態１に係るデジタル放送受信装置１と異なる。実施の形態１においては、第１フェーズと第２フェーズでそれぞれ異なる放送方式を対象としたチャンネルスキャンを実施したが、実施の形態２では、フェーズを分けずにチャンネルスキャン処理を実行する。実施の形態２に係るデジタル放送受信装置２は、チャンネルスキャン処理において、複数の放送方式の内の第１の放送方式及び第２の放送方式のデジタル放送の周波数帯域の全体に対するチャンネルスキャンを実行し、第１の放送方式の視聴可能チャンネルを検出して記憶部２４に登録し、チャンネルスキャンの過程で、第１の放送方式の視聴可能チャンネルではないが第２の放送方式の復調処理ロジックで復調できた信号を第２の放送方式の視聴可能チャンネルとして記憶部２４に登録することを特徴としている。
【００４８】
図７は、実施の形態２に係るデジタル放送受信装置２のスキャン制御部２７によるチャンネルスキャン処理を示すフローチャートである。実施の形態２においては、チャンネルスキャン処理に際し、スキャン制御部２７は、受信チャンネルＨとして、先ず最小番号の物理チャンネルをチューニング対象と決定し（ステップＳ４０１）、次に第２のチューナ部２１にチューニングの指示を行う（ステップＳ４０２）。
【００４９】
次に、第２のチューナ部２１から、受信された電波の受信レベルの判定結果がスキャン制御部２７に通知される。スキャン制御部２７は、受信電力が、放送方式Ａの放送番組を視聴するために必要な最小レベルの電力を示す閾値Ｔａよりも大きいか否かを判定し（ステップＳ４０３）、受信電力が閾値Ｔａよりも大きいと判定された場合は、放送方式Ａの復調開始を第２の復調部２２に指示する（ステップＳ４０４）。この指示により、第２の復調部２２は、放送方式Ａのデジタル放送が存在するか否かの確認を行い、その結果をスキャン制御部２７に通知する（ステップＳ４０５）。スキャン制御部２７は、この通知により放送方式Ａのデジタル放送が存在すると判定した場合は、第２のデマルチプレクス部２３に放送方式Ａのデジタル放送のＰＳＩ／ＳＩデータを取得する指示を通知する（ステップＳ４０６）。その後に（例えば、数秒後に）、スキャン制御部２７は、ＰＳＩ／ＳＩデータが取得できたか否かを判定し（ステップＳ４０７）、取得できた場合は、ＰＳＩ／ＳＩデータから選局情報を抽出し、記憶部２４に、検出したサービス及び物理チャンネル等をサービスリストとして登録する（ステップＳ４０８）。
【００５０】
そして、スキャン制御部２７は、受信チャンネルのチャンネル番号Ｈがチャンネルスキャン対象のチャンネルのチャンネル番号の最大値（最大番号）以下か否かを判定し（ステップＳ４０９）、放送方式Ａのチャンネルのチャンネル番号の最大値（最大番号）以上であれば、受信チャンネルのチャンネル番号Ｈを１つインクリメントし（ステップＳ４１０）、処理をステップＳ４０２に戻し、次のチャンネルをチューニングする。
【００５１】
ステップＳ４０３で受信電力が閾値Ｔａ以下と判定された場合、又は、ステップＳ４０５で放送方式Ａが当該物理チャンネル内に存在しないと第２の復調部２２から通知があった場合は、スキャン制御部２７は、受信電力が閾値Ｔｂより大きいか否かを判定する（ステップＳ４１１）。閾値Ｔｂは、放送方式Ｂの放送番組を視聴するために必要な最小レベルの電力を示す閾値である。実施の形態２の動作は、この閾値Ｔｂよりも受信電力が大きいと判定された場合の処理の点が、実施の形態１の動作と異なる。すなわち、実施の形態１では、受信チャンネルのチャンネル番号Ｈをチャンネル一時記憶部２６に記憶させ、この記憶させたチャンネル番号を対象に、第２フェーズで放送方式Ｂのチャンネルに対するチャンネルスキャンを実施していた。これに対し、実施の形態２の動作では、スキャン制御部２７は、続けて放送方式Ｂの復調開始を第２の復調部２２に指示する（ステップＳ４１２）。この指示により、第２の復調部２２は、放送方式Ｂが存在するか否かの確認を行い、その結果をスキャン制御部２７に通知する。スキャン制御部２７は、この通知により放送方式Ｂが存在すると判定した場合は（ステップＳ４１３）、第２のデマルチプレクス部２３に放送方式ＢのＰＳＩ／ＳＩデータを取得する指示を通知する（ステップＳ４１４）。その後に（例えば、数秒後に）、スキャン制御部２７は、ＰＳＩ／ＳＩデータが取得できたか否かを判定し（ステップＳ４１５）、取得できた場合は、ＰＳＩ／ＳＩデータから選局情報を抽出し、記憶部２４に検出したサービス及び物理チャンネル等をサービスリストに登録する（ステップＳ４０８）。
【００５２】
そして、ステップＳ４０９及びステップＳ４１０において、スキャン制御部２７は、次にチャンネルスキャンすべきチャンネルを決定する。
【００５３】
ステップＳ４１１で受信電力が閾値Ｔｂ以下と判定された場合、又は、ステップＳ４１３で放送方式Ｂが存在しなかった場合、又は、ステップＳ４１５で放送方式ＢのＰＳＩ／ＳＩデータが受信できなかった場合は、スキャン制御部２７は、処理をステップＳ４０９及びステップＳ４１０に進めて次にチャンネルスキャンすべきチャンネルを決定する。
【００５４】
ステップＳ４０９でＮＯと判定された場合は、全チャンネルのチャンネルスキャンが終了したと判定した場合であり、スキャン制御部２７は、一連のチャンネルスキャンを終了する。そして、その後、スキャン制御部２７は、受信可能チャンネルの変化を検出するため再びステップＳ４０１からチャンネルスキャンを開始する。
【００５５】
以上のように、実施の形態２におけるチャンネルスキャン動作は、ある物理チャンネルをチューニングし、複数の放送波について順番に、第２のチューナ部２１での信号レベル、第２の復調部２２での指定放送波検出可否、第２のデマルチプレクス部２３でのＰＳＩ／ＳＩデータの受信可否を判定している。そして、チャンネルスキャン対象の全ての放送方式の受信可否を判定後、次の物理チャンネルをチューニングし、同様に、放送方式の受信可否を判定していく動作となっている。
【００５６】
実施の形態２でのチャンネルスキャン制御方式は、第２の復調部２２が復調対象とする放送方式を切り替えるための復調処理ロジックの切替時間が、第２のチューナ部２１でチューニングに要する時間よりも短い場合に、効果がある。
【００５７】
例えば、実施の形態１における１回の全チャンネルのチャンネルスキャンに要する時間Ｔｓｃａｎ１は、
ＴＴＵを、チューニング時間とし、
ＴＡＤｅｃを、放送方式Ａの１チャンネルの復調処理時間とし、
ＴＢＤｅｃを、放送方式Ｂの１チャンネルの復調処理時間とし、
ＮＡＬＬを、放送方式Ａ及びＢの全チャンネル数とし、
ＮＡＣｈを、放送方式Ａの運用チャンネル数とし、
ＮＢＣｈを、放送方式Ｂの運用チャンネル数とし、
ＴＡＤｅｍを、放送方式Ａの１チャンネルのデマルチプレクス処理時間とし、
ＴＢＤｅｍを、放送方式Ｂの１チャンネルのデマルチプレクス処理時間とし、
ＴＳＷを、第２の復調部２２の復調処理ロジックの切替時間とすると、
次式１で算出することができる。
Ｔｓｃａｎ１
＝｛第１フェーズの時間（図２のステップＳ１０１）｝
＋｛復調処理ロジックの切替時間（図２のステップＳ１０１からＳ１０２への切替）｝
＋｛第２フェーズの時間（図２のステップＳ１０２）｝
＝｛（ＴＴＵ×ＮＡＬＬ）＋（ＴＡＤｅｃ×（ＮＡＣｈ＋ＮＢＣｈ））
＋（ＴＡＤｅｍ×ＮＡＣｈ）｝
＋ＴＳＷ
＋｛（ＴＴＵ＋ＴＢＤｅｃ＋ＴＢＤｅｍ）×ＮＢＣｈ｝                    …式１
【００５８】
また、実施の形態２における１回の全チャンネルのチャンネルスキャンに要する時間Ｔｓｃａｎ２は、次式２で算出することができる。
Ｔｓｃａｎ２
＝｛図７のステップＳ４０２〜Ｓ４０７の処理時間の合計値｝
＋｛図７のステップＳ４０２〜Ｓ４０７の処理ロジックとステップＳ４１１からＳ４１５の処理ロジックの切替時間の合計値｝
＋｛図７のステップＳ４１１〜Ｓ４１５の処理時間の合計値｝
＝｛（ＴＴＵ×ＮＡＬＬ）＋（ＴＡＤｅｃ＋ＴＡＤｅｍ）×ＮＡＣｈ｝
＋｛ＴＳＷ×（ＮＡＣｈ＋ＮＢＣｈ）｝
＋（ＴＴＵ＋ＴＢＤｅｃ＋ＴＢＤｅｍ）×ＮＢＣｈ｝                      …式２
【００５９】
ここで、Ｔｓｃａｎ２−Ｔｓｃａｎ１を算出すると、以下の式３となる。
Ｔｓｃａｎ２−Ｔｓｃａｎ１
＝｛ＴＳＷ×（ＮＡＣｈ＋ＮＢＣｈ−１）｝−（ＴＡＤｅｃ×ＮＢｃｈ）      …式３
【００６０】
よって、｛ＴＳＷ×（ＮＡＣｈ＋ＮＢＣｈ−１）｝が、（ＴＡＤｅｃ×ＮＢｃｈ）より小さい場合には、Ｔｓｃａｎ２−Ｔｓｃａｎ１は、負の値となり、実施の形態２に係るデジタル放送受信装置２におけるチャンネルスキャンに要する時間Ｔｓｃａｎ２が実施の形態１に係るデジタル放送受信装置１におけるチャンネルスキャンに要する時間Ｔｓｃａｎ１よりも短くなる効果がある。
【００６１】
逆に、｛ＴＳＷ×（ＮＡＣｈ＋ＮＢＣｈ−１）｝が、（ＴＡＤｅｃ×ＮＢｃｈ）より大きい場合には、Ｔｓｃａｎ２−Ｔｓｃａｎ１は、正の値となり、実施の形態１に係るデジタル放送受信装置１におけるチャンネルスキャンに要する時間Ｔｓｃａｎ１が実施の形態２に係るデジタル放送受信装置２におけるチャンネルスキャンに要する時間Ｔｓｃａｎ２よりも短くなる効果がある。
【００６２】
また、実施の形態２に係るデジタル放送受信装置２においては、実施の形態１と同様に、チャンネルスキャン用の受信系統である第２の受信系統２０ａを視聴用の第１の受信系統１０と別系統にしているので、視聴中であってもチャンネルスキャンを実行することができる。
【００６３】
なお、上記説明では放送方式Ａのチャンネルに対するチャンネルスキャンを先に行い、その結果を利用して放送方式Ｂのチャンネルに対するチャンネルスキャンを行う例を示した。しかし、閾値Ｔｂが閾値Ｔａより小さい場合（Ｔａ＞Ｔｂの場合）には、閾値の小さい放送方式Ｂを先にチャンネルスキャンし、次に、放送方式Ａのチャンネルに対するチャンネルスキャンを行うことが望ましい。この場合には、図７におけるステップＳ４０３でＮＯと判定された場合、すなわち、受信電力が閾値よりも小さい場合には、ステップＳ４１１において受信電力は必ず閾値よりも小さくなるため、ステップＳ４１１の処理を省略することができ、チャンネルスキャンに要する時間を一層短縮することができる。
【００６４】
実施の形態３．
図８は、実施の形態３に係るデジタル放送受信装置３の構成を概略的に示すブロック図である。図８において、図１に示される構成要素と同一又は対応する構成要素には、図１における符号と同じ符号を付す。図８に示されるように、デジタル放送受信装置３は、複数の放送方式のデジタル放送を受信可能な視聴用の受信系統である第１の受信系統１０と、複数の放送方式のデジタル放送を受信可能なチャンネルスキャン用の受信系統である第２の受信系統２０ｂとを有する。第１の受信系統１０は、第１のチューナ部１１と、第１の復調部１２と、第１のデマルチプレクス部１３と、デコード部１４と、映像音声出力部１５と、選局制御部１６とを有する。第２の受信系統２０ｂは、第２のチューナ部２１と、第２の復調部２２と、第２のデマルチプレクス部２３と、記憶部２４と、チャンネル一時記憶部２６と、スキャン制御部２８とを有する。実施の形態３に係るデジタル放送受信装置３は、スキャン制御部２８の動作の点において、実施の形態１に係るデジタル放送受信装置１と異なる。実施の形態３に係るデジタル放送受信装置３は、チャンネルスキャン処理として、第１のチャンネルスキャン処理、及び、第２のチャンネルスキャン処理のいずれかを選択することを特徴としている。第１のチャンネルスキャン処理は、実施の形態１におけるチャンネルスキャン処理であり、第２のチャンネルスキャン処理は、実施の形態２におけるチャンネルスキャン処理である。
【００６５】
実施の形態１においてスキャン制御部２５は、第２の復調部２２の復調処理ロジックを各放送方式に切り替える時間及び第２のチューナ部２１のチューニングに要する時間をそれぞれ事前に計測し、保持しておく。さらに、地域毎にその地域での放送方式Ａの運用チャンネル数と放送方式Ｂの運用チャンネル数のデータを保持しておく。そして、チャンネルスキャンの実施前に、現在位置情報を取得するための位置情報取得部３３からの位置情報、又は、ユーザ操作部３４から入力された地域設定など地域を特定する情報から、スキャン制御部２５は、地域を把握し、式３の計算を行い、その結果、式３の算出結果が正の値であるならば、実施の形態１に従うスキャン制御方式によるチャンネルスキャンを採用し、式３の算出結果が負の値であるならば、実施の形態２に従うスキャン制御方式によるチャンネルスキャンを採用するように、切り替えてもよい。
【００６６】
このようにすることで、移動先の地域によって受信対象となる放送方式の運用チャンネル数が異なる場合に、各地域における最適なチャンネルスキャンシーケンスを実施でき、チャンネルスキャンに要する時間を最短にすることができる。また、地域毎にその地域での放送方式Ａの運用チャンネル数と放送方式Ｂの運用チャンネル数のデータを保持しておくことで、例えば、最近運用が開始されたＤＶＢ−Ｔ２は、地域によっては、まだ運用されている所もある。そのような場合、は、ＤＶＢ−Ｔだけのチャンネルスキャンを実行するようにスキャン制御部２８を動作させることができる。
【００６７】
また、実施の形態３に係るデジタル放送受信装置３においては、実施の形態１と同様に、チャンネルスキャン系統を視聴系統と別系統にしているので視聴中でもチャンネルスキャンを実行することができる。
【００６８】
実施の形態４．
図９は、実施の形態４に係るデジタル放送受信装置４の構成を概略的に示すブロック図である。図９において、図１に示される構成要素と同一又は対応する構成要素には、図１における符号と同じ符号を付す。図９に示されるように、デジタル放送受信装置４は、複数の放送方式のデジタル放送を受信可能な視聴用の受信系統である第１の受信系統１０と、複数の放送方式のデジタル放送を受信可能なチャンネルスキャン用の受信系統である第２の受信系統２０ｃとを有する。第１の受信系統１０は、第１のチューナ部１１と、第１の復調部１２と、第１のデマルチプレクス部１３と、デコード部１４と、映像音声出力部１５と、選局制御部１６とを有する。第２の受信系統２０ｃは、第２のチューナ部２１と、第２の復調部４０と、第２のデマルチプレクス部２３と、記憶部２４と、チャンネル一時記憶部２６と、スキャン制御部２９とを有する。実施の形態４に係るデジタル放送受信装置４は第２の復調部４０の内部構成及びスキャン制御部２９の動作の点において、図１に示される実施の形態１に係るデジタル放送受信装置１と異なる。実施の形態４に係るデジタル放送受信装置４は、複数の放送方式の内の第１の放送方式及び第２の放送方式のデジタル放送の周波数帯域の全体に対するチャンネルスキャン処理を実行する過程において、チューナ部２１が対象チャンネルをチューニングした後に、スキャン制御部２９が第１の放送方式の放送波の存在確認を行い、第１の放送方式の放送波が存在すると判定されたときには、復調部４０による第１の放送方式の復調処理及びデマルチプレクス部２３によるデータ取得処理を行い、第１の放送方式の放送波が存在しないと判定されたときには、第２の放送方式の放送波の存在確認を行わないことを特徴としている。チャンネルスキャン処理の詳細は、後述する。
【００６９】
図１０は、実施の形態４に係るデジタル放送受信装置４の第２の復調部４０の構成を概略的に示すブロック図である。図１０に示されるように、第２の復調部４０は、ＴＳ（トランスポートストリーム）復調処理部４１と、放送方式検出部４２とを有する。実施の形態１及び２における第２の復調部２２は、復調処理の結果、複数のフレームの同期が確立するとＴＳを出力すると共に、フレーム同期が確立したことにより、指定された放送方式が検出できたか否かをスキャン制御部２５に通知する。これに対し、実施の形態４においては、ＴＳ復調を行うＴＳ復調処理部４１とは別に放送方式検出部４２を備えている。これは、フレーム同期が確立する前に素早く放送方式を検出するためであり、特に、ＤＶＢ−Ｔ２とＤＶＢ−Ｔとを受信対象とする場合に、適した構成である。
【００７０】
図１１（ａ）及び（ｂ）は、ＤＶＢ−Ｔ２フレーム構造、並びに、ＤＶＢ−Ｔ２で運用される伝送モード及びガードインターバルを示す図である。図１１（ａ）に示されるように、ＤＶＢ−Ｔ２フレームは、１つのＰ１シンボルと、複数のＰ２シンボルと、複数のＤａｔａシンボルとから構成され、ＤＶＢ−Ｔ２フレームのフレーム長は、最大２５０ｍｓである。ＤＶＢ−Ｔ２フレームは、２５０ｍｓ周期で連続的にチューナ部（第１，第２のチューナ部１１，２１）から出力される。ＤＶＢ−Ｔ２のＴＳは、Ｄａｔａシンボル内に格納されている。このＴＳを復調するには、復調処理に必要となるパラメータがＰ２シンボルに含まれているので、Ｄａｔａシンボルより先にＰ２シンボルを復調する必要がある。さらに、Ｐ２シンボルの復調のためには、Ｐ１シンボル内に含まれるＰ２シンボルのＦＦＴ（Ｆａｓｔ  Ｆｏｕｒｉｅｒ  Ｔｒａｎｓｆｏｒｍ）サイズ等の情報を取得する必要がある。そのため、ＴＳを復調するためには、まず、Ｐ１シンボルを復調する必要がある。ＤＶＢ−Ｔ２放送方式では、Ｐ１シンボルに必要なパラメータは、事前に規定されており、まず、Ｐ１シンボルから復調することが規定されている。
【００７１】
図１１（ａ）に示されるように、Ｐ１シンボル、Ｐ２シンボル、及びＤａｔａシンボルは、それぞれ有効シンボルとガードインターバルから構成されるが、Ｐ１シンボルの構造は、他と異なる。Ｐ１シンボルにおいては、有効シンボルの前半部分とその直前のガードインターバルは、同一データとなっている。また、有効シンボルの後半部分とその直後のガードインターバルは、同一データとなっている。一方、Ｐ２シンボル及びＤａｔａシンボルにおいては、有効シンボルの最後の部分が、その有効シンボルの直前のガードインターバル部分と同じデータとなっている。
【００７２】
図１１（ａ）に示される有効シンボル長は、伝送モードが示すビット長になっており、ＦＦＴサイズと等しい値である。ＤＶＢ−Ｔ２で使用される伝送モード（ＦＦＴサイズ）とガードインターバル値（ガードインターバル長と有効シンボル長との比、すなわち、ガードインターバル長／有効シンボル長）の組み合わせを図１１（ｂ）に示す。
【００７３】
図１２（ａ）及び（ｂ）は、ＤＶＢ−Ｔフレーム構造、並びに、ＤＶＢ−Ｔで運用される伝送モード及びガードインターバルを示す図である。図１２（ａ）に示されるように、ＤＶＢ−Ｔのフレームは、最大６０ｍｓとなっており、６０ｍｓ周期でＤＶＢ−Ｔのフレームが連続的にチューナ部より出力される。フレームは、シンボルから構成されており、フレームは、ガードインターバルと有効シンボルとから構成され、ＤＶＢ−Ｔのシンボル構成は、ＤＶＢ−Ｔ２のＤａｔａシンボルの構成と同一の構成である。すなわち、有効シンボルの最後のデータが、その有効シンボル直前のガードインターバルに格納されている。また、有効シンボル長は、伝送モードが示すサイズとなっている。ただし、ＤＶＢ−Ｔで使用される伝送モードとガードインターバルの組み合わせは、図１２（ｂ）に記載しているように、ＤＶＢ−Ｔ２で使用するこれらパラメータの組み合わせの一部のパラメータとなっている。
【００７４】
図１３は、実施の形態４に係るデジタル放送受信装置４の第２の復調部４０内の放送方式検出部４２の構成を概略的に示すブロック図である。図１３に示されるように、放送方式検出部４２は、ＤＶＢ−Ｔ２放送波検出部５０と、ＤＶＢ−Ｔ放送波検出部６０とを有している。スキャン制御部２９からの指示により、ＤＶＢ−Ｔ２放送波検出部５０及びＤＶＢ−Ｔ放送波検出部６０は、第２のチューナ部２１から入力されるデジタル信号に格納される各放送波の検出を開始する。そして、ＤＶＢ−Ｔ２放送波検出部５０は、ＤＶＢ−Ｔ２検出信号で、ＤＶＢ−Ｔ放送波検出部６０は、ＤＶＢ−Ｔ検出信号で、それぞれの放送波検出結果をスキャン制御部２９に通知する。
【００７５】
図１４は、実施の形態４に係るデジタル放送受信装置４のＤＶＢ−Ｔ２放送波検出部５０の構成を示すブロック図である。図１４に示されるように、ＤＶＢ−Ｔ２放送波検出部５０は、３２ｋ遅延回路５０１、１６ｋ遅延回路５０２、８ｋ遅延回路５０３、４ｋ遅延回路５０４、２ｋ遅延回路５０５、１ｋ遅延回路５０６、ガードインターバル比検出回路５１１、ガードインターバル比検出回路５１２、ガードインターバル比検出回路５１３、ガードインターバル比検出回路５１４、ガードインターバル比検出回路５１５、ガードインターバル比検出回路５１６、かけ算回路５２１、かけ算回路５２２、かけ算回路５２３、かけ算回路５２４、かけ算回路５２５、かけ算回路５２６、及び論理和ロジック５３１を有している。３２ｋ遅延回路５０１は、第２のチューナ部２１からのデジタル信号を３２ｋｂｉｔ遅延する回路である。同様に、１６ｋ遅延回路５０２、８ｋ遅延回路５０３、４ｋ遅延回路５０４、２ｋ遅延回路５０５、１ｋ遅延回路５０６は、それぞれ第２のチューナ部２１からのデジタル信号を１６ｋｂｉｔ、８ｋｂｉｔ、４ｋｂｉｔ、２ｋｂｉｔ、１ｋｂｉｔ遅延する回路である。かけ算回路５２１、かけ算回路５２２、かけ算回路５２３、かけ算回路５２４、かけ算回路５２５、及びかけ算回路５２６は、これらの遅延回路の各出力と元の第２のチューナ部２１からのデジタル信号との積をとる回路であり、それら出力が各ガードインターバル比検出回路５１１，５１２，５１３，５１４，５１５，５１６にそれぞれ入力される。各ガードインターバル比検出回路５１１，５１２，５１３，５１４，５１５，５１６では、ガードインターバル長及び有効シンボル長を検出し、ガードインターバル比を求める。ガードインターバル比検出回路５１１，５１２，５１３，５１４，５１５，５１６は、求められた比が３２ｋ、１６ｋ、８ｋ、４ｋ、２ｋ、１ｋの各伝送モードに対してＤＶＢ−Ｔ２で運用される値であれば値‘１’を出力する。ガードインターバル比検出回路５１１，５１２，５１３，５１４，５１５，５１６から出力され論理和ロジック５３１を経由し、ＤＶＢ−Ｔ２放送波検出信号が出力される。なお、かけ算回路５２１，５２２，５２３，５２４，５２５，５２６は、回路規模を小さくするために、２入力の一致を検出する排他的論理回路に置き換えることが可能である。
【００７６】
図１５は、実施の形態４に係るデジタル放送受信装置４のＤＶＢ−Ｔ放送波検出部６０の構成を示すブロック図である。図１５に示されるように、ＤＶＢ−Ｔ放送波検出部６０は、８ｋ遅延回路６０１、２ｋ遅延回路６０２、ガードインターバル比検出回路６１１、ガードインターバル比検出回路６１２、かけ算回路６２１、かけ算回路６２２、及び論理和ロジック６３１を有する。８ｋ遅延回路６０１は、第２のチューナ部２１からのデジタル信号を４ｋｂｉｔ遅延する回路である。同様に、２ｋ遅延回路６０２は、第２のチューナ部２１からのデジタル信号を２ｋｂｉｔ遅延する回路である。かけ算回路６２１及び６２２は、これらの遅延回路の各出力と元のチューナ部２１からのデジタル信号との積をとる回路である。かけ算回路６２１及び６２２からの出力が各ガードインターバル比検出回路６１１，６１２にそれぞれ入力される。各ガードインターバル比検出回路６１１，６１２では、ガードインターバル長及び有効シンボル長を検出し、ガードインターバル比を求める。この比が８ｋ及び２ｋの各伝送モードに対してＤＶＢ−Ｔで運用される値であれば値‘１’を出力する。この信号が各ガードインターバル比検出回路から出力され論理和ロジック６３１を経由しＤＶＢ−Ｔ放送波検出信号として出力される。なお、かけ算回路６２１、６２２は、回路規模を小さくするために、２入力の一致を検出する排他的論理回路に置き換えることが可能である。
【００７７】
図１６は、実施の形態４に係るデジタル放送受信装置のＤＶＢ−Ｔ２放送波検出部５０及びＤＶＢ−Ｔ放送波検出部６０の動作を示す図である。図１６は、横軸を時間とし、上段は、第２のチューナ部２１からＤＶＢ−Ｔ２のＤａｔａシンボル又はＤＶＢ−Ｔのシンボルが入力されている様子を示している。図１６の中段は、各遅延回路５０１〜５０６の出力信号のうち、入力された信号のＦＦＴサイズと一致するｂｉｔ分の遅延を行う回路の出力信号を示している。図１６の下段は、その出力をかけ算回路５２１〜５２６、或いは、排他的論理和回路（かけ算回路５２１〜５２６の代わりに設けられた場合）に入力した際の出力を模式的に図示している。第２のチューナ部２１からのデジタル入力信号は、図１６に示されるように、各シンボル内にガードインターバルと有効シンボルが含まれており、図１６の斜線部が示す有効シンボルの最後のデータとガードインターバルが同じデータとなっている。各遅延回路５０１〜５０６は、規格で規定された、運用される各ＦＦＴサイズ分を遅延するので、図１６の中段に示すように、各ＦＦＴサイズ分が遅延される。かけ算回路５２１〜５２６、或いは、排他的論理和回路（かけ算回路５２１〜５２６の代わりに設けられた場合）の出力は、第２のチューナ部２１からの入力信号における有効シンボルの最後の部分と、遅延回路５０１〜５０６で遅延された信号におけるガードインターバルの部分が同じデータで一致するので、図１６の下段のように、かけ算回路５２１〜５２６、或いは、排他的論理和回路（かけ算回路５２１〜５２６の代わりに設けられた場合）５２１〜５２６、或いは、排他的論理回路５３１の出力信号のピークの出現周期は、一定の一致周期Ｔになる。一方、入力された信号のＦＦＴサイズと一致しないｂｉｔ分の遅延を行う回路の出力信号は、図示していないがその場合は、かけ算回路５２１日から５２６のピークの周期、或いは、排他的論理和回路での２入力の一致検出ポイントを示す‘１’の出現周期は、図の下段の一致周期Ｔのように一定ではない。
【００７８】
図１６の下段の信号がガードインターバル比検出回路５１１〜５１６に入力される。ガードインターバル比検出回路では、一致周期内におけるデータ数Ｎ１ｐをカウントする。また、一致期間のデータ数をカウントすることでガードインターバル長ＬＧＩを求める。これらから伝送モード（ＦＦＴサイズ）ＳＦＦＴを以下の式４にて求める。
ＳＦＦＴ＝Ｎ１ｐ−ＬＧＩ                                式４
さらに、ガードインターバル比ＲＧＩを以下の式５で求める。
ＲＧＩ＝ＬＧＩ／ＳＦＦＴ                                  式５
【００７９】
ＤＶＢ−Ｔ２放送波検出部５０の場合は、次に、式４及び式５で求めた伝送モード（ＦＦＴサイズ）ＳＦＦＴ、ガードインターバル比ＲＧＩの組み合わせが、図１１（ｂ）に示すＤＶＢ−Ｔ２伝送モード−ガードインターバルの組み合わせ表に存在するかを確認し、存在した場合は、ガードインターバル比検出回路からＤＶＢ−Ｔ２検出を示す信号出力を出力する。
【００８０】
ＤＶＢ−Ｔ放送波検出部６０の場合は、次に、式４及び式５で求めた伝送モード（ＦＦＴサイズ）ＳＦＦＴ、ガードインターバル比ＲＧＩの組み合わせが、図１２（ｂ）に示すＤＶＢ−Ｔ伝送モード−ガードインターバルの組み合わせ表に存在するかを確認し、存在した場合は、ガードインターバル比検出回路からＤＶＢ−Ｔ検出を示す信号出力を出力する。
【００８１】
前述したようにＤＶＢ−Ｔ２で運用される伝送モードとガードインターバルの組み合わせは、ＤＶＢ−Ｔで運用される伝送モードとガードインターバルの組み合わせを含んでいる。第２の復調部４０を以上のような、ＦＦＴサイズとガードインターバルから放送方式を特定する回路で構成し、この回路の出力信号にて、上記の第２の復調部４０からＤＶＢ−Ｔ２が存在しないということがわかった場合、ＤＶＢ−Ｔで運用される伝送モード、ガードインターバルではないということになりＤＶＢ−Ｔの受信確認処理を省略することができる。
【００８２】
図１７は、実施の形態４に係るデジタル放送受信装置４のスキャン制御部２９によるチャンネルスキャン処理を示すフローチャートである。実施の形態４に係るスキャン制御部２９は、以上のような第２の復調部４０を用いて、ＤＶＢ−Ｔ２とＤＶＢ−Ｔのチャンネルスキャンを行う。図１７において放送方式Ａは、ＤＶＢ−Ｔ２、放送方式Ｂは、ＤＶＢ−Ｔに対応している。すなわち、放送方式Ａで運用される伝送モードとガードインターバルの組み合わせは、放送方式Ｂで運用される伝送モードとガードインターバルの組み合わせを含んでいる。
【００８３】
図１７に示されるように、スキャン制御部２９は、まず、ステップＳ５０１で、最小番号の物理チャンネルをチューニング対象のチャンネルＨとし、ステップＳ５０２で第２のチューナ部２１にチューニングの指示を行う。次に、スキャン制御部２９には、第２のチューナ部２１から、受信された電波の受信レベルの判定結果が通知される。その結果、受信電力が、放送方式Ａの放送番組を視聴するために必要となるレベルの閾値Ｔａよりも低く、且つ、放送方式Ｂの放送番組を視聴するために必要となるレベルの閾値Ｔｂよりも低い場合は、ステップＳ５０３で判定がＹＥＳとなり、そのチャンネルは、受信可能なレベルではないため、次の物理チャンネルをチューニングするため、処理はステップＳ５０９に進む。ステップＳ５０３でＮＯと判定された場合は、スキャン制御部２９は、放送方式Ａの復調開始を第２の復調部４０に指示する（ステップＳ５０４）。この指示により第２の復調部４０は、放送方式Ａのデジタル放送が存在するか否かの確認を行い、その結果をスキャン制御部２９に通知する。スキャン制御部２９は、この通知により放送方式Ａのデジタル放送が存在すると判定した場合は（ステップＳ５０５のＹＥＳ）、第２のデマルチプレクス部２３に放送方式Ａのデジタル放送のＰＳＩ／ＳＩデータを取得する指示を通知する（ステップＳ５０６）。その後に（例えば、数秒後に）、スキャン制御部２９は、ＰＳＩ／ＳＩデータが取得できたか否かを判定し（ステップＳ５０７）、取得できた場合は、ＰＳＩ／ＳＩデータから選局情報を抽出し、検出したサービス及び物理チャンネル等を記憶部２４のサービスリストに登録する（ステップＳ５０８）。
【００８４】
そして、スキャン制御部２９は、受信チャンネルのチャンネル番号Ｈがチャンネルスキャン対象のチャンネルのチャンネル番号の最大値（最大番号）未満か否かを判定し（ステップＳ５０９）、最大値（最大番号）未満であれば受信チャンネルのチャンネル番号Ｈを１つインクリメントし（ステップＳ５１０）、再びステップＳ５０２で次のチャンネルをチューニングする。
【００８５】
スキャン制御部２９は、ステップＳ５０５で放送方式Ａのデジタル放送が存在しないとの通知を受信した場合は、放送方式Ｂで運用される伝送モード、ガードインターバルを用いた受信データでもなかったということになるので、放送方式Ｂの受信確認処理を省くことができる。このため、スキャン制御部２９は、処理をステップＳ５０９、ステップＳ５１０へ進め、次にチューニングすべき物理チャンネルを取得し、ステップＳ５０２で次の物理チャンネルのチューニングを行う。
【００８６】
スキャン制御部２９は、ステップＳ５０７で放送方式Ａのデジタル放送のＰＳＩ／ＳＩデータが取得できなかった場合は、放送方式Ｂである可能性があるため、ステップＳ５１１で放送方式Ｂの復調開始を第２の復調部４０に指示する。この指示により、第２の復調部４０は、放送方式Ｂが存在するか否かの確認を行い、その結果をスキャン制御部２９に通知する。スキャン制御部２９は、この通知により放送方式Ｂが存在すると判定した場合は（ステップＳ５１２のＹＥＳ）、第２のデマルチプレクス部２３に放送方式ＢのＰＳＩ／ＳＩデータを取得する指示を通知する（ステップＳ５１３）。その後に（例えば、数秒後に）、スキャン制御部２９は、放送方式ＢのＰＳＩ／ＳＩデータが取得できたか否かを判定し（ステップＳ５１４）、取得できた場合は、ＰＳＩ／ＳＩデータから選局情報を抽出し、検出したサービス及び物理チャンネル等を記憶部２４にサービスリストとして登録する（ステップＳ５０８）。そして、スキャン制御部２９は、処理をステップＳ５０９、ステップＳ５１０へ進め、次のチャンネルスキャンすべきチャンネルを取得する。
【００８７】
スキャン制御部２９は、ステップＳ５１２で放送方式Ｂが存在しないと通知を受信した場合、又は、ステップＳ５１４で放送方式ＢのＰＳＩ／ＳＩデータが受信できなかった場合は、処理をステップＳ５０９及びステップＳ５１０に進め、次にチャンネルスキャンすべきチャンネルを取得する。
【００８８】
ステップＳ５０９でＮＯと判定された場合は、全チャンネルのチャンネルスキャンが終了したと判定した場合であり、スキャン制御部２９は、一連のチャンネルスキャンを終了する。そして、その後、スキャン制御部２９は、受信可能チャンネルの変化を検出するため、再びステップＳ５０１からチャンネルスキャンを開始する。
【００８９】
以上のように、実施の形態４におけるチャンネルスキャン動作は、チャンネルスキャン系統を視聴系統とは別に備えているため視聴中でもチャンネルスキャンを実行することができる。
【００９０】
実施の形態４における第２の復調部４０は、放送方式検出部４２を備え、その中のＤＶＢ−Ｔ２放送波検出部５０を図１４に示される回路構成にし、ＤＶＢ−Ｔ２のデータシンボルに対して、ＤＶＢ−Ｔ２で運用される３２ｋ、１６ｋ、８ｋ、４ｋ、２ｋ、１ｋの各伝送モードの信号が伝送されたことをそれぞれ検出する伝送モード検出回路５００を遅延回路５０１〜５０６とかけ算回路５２１〜５２６又は排他的論理和回路とを並列に備えたので、伝送モードを短時間で検出することができる。
【００９１】
さらに、各伝送モード検出回路の出力を、各ガードインターバル比検出回路に入力したので、受信したＴＳの伝送モードとガードインターバルの組み合わせを短時間で検出することができる。従来、ＴＳの復調過程でＰ１シンボル、Ｐ２シンボル、Ｄａｔａシンボルの順に復調し、さらに、２〜３個のＤＶＢ−Ｔ２フレームを受信し、フレーム同期を確立してＤＶＢ−Ｔ２の復調されたＴＳが出力されていた。この時点でＤＶＢ−Ｔ２検出完了の通知がされる復調部と比較すると、ＤＶＢ−Ｔ２フレームは、最大２５０ｍｓ周期であるため、フレーム同期確立の検出完了となる５００ｍｓ〜７５０ｍｓもの期間、ＤＶＢ−Ｔ２の存在検出結果を待つことになっていた。これに対し、実施の形態４における第２の復調部４０では、１フレーム期間待つだけでよいので、短時間に放送方式の存在検出が可能となる。
【００９２】
また、実施の形態４における第２の復調部４０は、ＴＳを復調し、後段の第２のデマルチプレクス部２３にＴＳを出力するＴＳ復調処理部４１とは別に、放送方式検出部４２を備えたので、図１７のステップＳ５０５及びステップＳ５１２での各放送方式存在確認後、ＴＳ復調処理を開始する必要がないのでＴＳが復調されるまでの時間が短縮される。
【００９３】
以上のような復調処理により、実施の形態４におけるチャンネルスキャン動作は、短時間で行うことができる。
【００９４】
また、実施の形態４におけるスキャン制御部２９は、放送方式Ｂで運用される伝送モード、ガードインターバルのパラメータの組み合わせを含む、パラメータで運用される放送方式Ａから先に放送方式検出確認を、第２の復調部４０に指示するので、その結果が、放送方式Ａで無かった場合に、放送方式Ｂの存在検出処理が不要となりチャンネルスキャンに要する時間を短縮することができる。
【００９５】
実施の形態５．
図１８は、実施の形態５に係るデジタル放送受信装置５の構成を概略的に示すブロック図である。図１８において、図９に示される構成要素と同一又は対応する構成要素には、図９における符号と同じ符号を付す。図１８に示されるように、デジタル放送受信装置５は、複数の放送方式のデジタル放送を受信可能な視聴用の受信系統である第１の受信系統１０と、複数の放送方式のデジタル放送を受信可能なチャンネルスキャン用の受信系統である第２の受信系統２０ｄとを有する。第１の受信系統１０は、第１のチューナ部１１と、第１の復調部１２と、第１のデマルチプレクス部１３と、デコード部１４と、映像音声出力部１５と、選局制御部１６とを有する。第２の受信系統２０ｄは、第２のチューナ部２１と、第２の復調部４０と、第２のデマルチプレクス部２３と、記憶部２４と、チャンネル一時記憶部２６と、メモリ４５ａを有するスキャン制御部４５とを有する。実施の形態５に係るデジタル放送受信装置５は、スキャン制御部４５のメモリ４５ａに、地域毎にＤＶＢ−Ｔ２の運用チャンネル数とＤＶＢ−Ｔの運用チャンネル数を記載した放送方式運用割合テーブルを記憶しており、これを参照しチャンネルスキャン時のチューニングの後に、いずれの放送方式から先に放送波存在確認を行うべきか否かを判定し、その判定結果に基づく順にチャンネルスキャンを行う点が、実施の形態４に係るデジタル放送受信装置４と異なる。実施の形態４においては、スキャン制御部４５は、複数の放送方式の運用チャンネル数を含む情報を記憶するメモリ４５ａを有し、複数の放送方式の内の運用チャンネル数の多い放送方式を第１の放送方式として先に放送波存在確認を行うことを特徴としている。
【００９６】
ＤＶＢ−Ｔ２の運用チャンネル数とＤＶＢ−Ｔの運用チャンネル数は、地域毎に異なる。ＤＶＢ−Ｔ２は、最近運用が始まったばかりであり、現時点では、ＤＶＢ−Ｔ２よりもＤＶＢ−Ｔのチャンネルが圧倒的に多いが、今後ＤＶＢ−Ｔ２の運用チャンネルが多くなっていくことが見込まれる。
【００９７】
一方、ＤＶＢ−Ｔ２の放送方式判定時間は、実施の形態３における第２の復調部２２に示したように、例えば、放送方式判定に要する時間は、最大１フレーム時間（２５０ｍｓ）である。一方、ＤＶＢ−Ｔの放送方式判定に要する時間は、図１２（ａ）に示すように、ＤＶＢ−Ｔフレームが最大６０ｍｓであるため、最大６０ｍｓである。
【００９８】
そのため、ＤＶＢ−Ｔの運用チャンネル数がＤＶＢ−Ｔ２のそれより圧倒的に多い場合は、検出時間の短いＤＶＢ−Ｔから先に放送方式判定を行う。これにより、全チャンネルスキャンに要する時間を短くすることができる。ＤＶＢ−Ｔ及びＤＶＢ−Ｔ２の運用チャンネル数は、ユーザ操作部からの入力によって、又は、前回のチャンネルスキャン結果から、運用チャンネル数を、スキャン制御部４５内のメモリ又は記憶部に保持させておく。
【００９９】
逆に、ＤＶＢ−Ｔ２の運用チャンネルが圧倒的に多い場合は、ＤＶＢ−Ｔ２から先に放送方式判定を行うようにする。この場合、ある物理チャンネルがＤＶＢ−Ｔ２でなかったときには、実施の形態３で説明したように、この物理チャンネルはＤＶＢ−Ｔでもないため、放送方式判定時間は２５０ｍｓである。
【０１００】
以上に説明したように、実施の形態５においては、各放送方式の運用チャンネル数の割合に応じて、いずれの放送方式を先に存在判定するかを判断しチャンネルスキャンを行うことで、各地域に移動した際にそれぞれの地域に最適なチャンネルスキャンを実行できチャンネルスキャンに要する時間の短縮を図ることができる。
【０１０１】
実施の形態６．
図１９は、実施の形態６に係るデジタル放送受信装置６の構成を概略的に示すブロック図である。図１９において、図１に示される構成要素と同一又は対応する構成要素には、図１における符号と同じ符号を付す。図１９に示されるように、デジタル放送受信装置６は、アンテナ３２からの放送信号を受信するチューナ部２１と、復調部２２と、デマルチプレクス部２３と、記憶部２４と、スキャン制御部２５と、チャンネル一時記憶部２６と、デコード部１４と、映像音声出力部１５と、選局制御部１６とを有する。実施の形態６に係るデジタル放送受信装置６は、１つの受信系統を有する点において、図１に示される実施の形態１に係るデジタル放送受信装置１と異なる。
【０１０２】
実施の形態６に係るデジタル放送受信装置６におけるチャンネルスキャン処理は、実施の形態１におけるチャンネルスキャン処理と同じである。しかし、実施の形態６に係るデジタル放送受信装置６は、１つの受信系統しか有しておらず、視聴用の受信系統とチャンネルスキャン用の受信系統は共通であるので、チャンネルスキャンの実施中は、放送番組を視聴することはできない。しかしながら、実施の形態６によれば、構成の簡素化による製品コストの低減を実現できる。
【０１０３】
なお、実施の形態６と同様の構成を採用することによって、実施の形態２から５に係るデジタル放送受信装置の受信系統を１系統にする、すなわち、視聴用の第１の受信系統とチャンネルスキャン用の第２の受信系統を共通の１つの受信系統にすることもできる。この場合にも、構成の簡素化による製品コストの低減を実現できる。
【産業上の利用可能性】
【０１０４】
本発明は、例えば、自動車又は列車などのような移動体に搭載されるデジタル放送受信装置に適用可能である。また、本発明は、デジタルテレビ放送の受信装置だけでなく、デジタルラジオ放送の受信装置にも適用可能である。さらに、本発明は、家庭用のデジタル放送受信装置だけでなく、スマートフォン及びタブレット端末などのような携帯情報端末用のデジタル放送受信装置にも適用可能である。
【符号の説明】
【０１０５】
１，２，３，４，５，６  デジタル放送受信装置、  １０  第１の受信系統、  １１  第１のチューナ部、  １２  第１の復調部、  １３  第１のデマルチプレクス部、  １４  デコード部、  １５  映像音声出力部、  １６  選局制御部、  ２０，２０ａ，２０ｂ，２０ｃ，２０ｄ  第２の受信系統、  ２１  第２のチューナ部、  ２２，４０  第２の復調部、  ２３  第２のデマルチプレクス部、  ２４  記憶部、  ２５，２７，２８，２９，４５  スキャン制御部、  ２６  チャンネル一時記憶部、  ３１  第１のアンテナ、  ３２  第２のアンテナ、  ３３  位置情報取得部、  ３４  ユーザ操作部、  ４１  ＴＳ復調処理部、  ４２  放送方式検出部、  ５０  ＤＶＢ−Ｔ２放送波検出部、  ６０  ＤＶＢ−Ｔ放送波検出部、  ５０１  ３２ｋ遅延回路、  ５０２  １６ｋ遅延回路、  ５０３  ８ｋ遅延回路、  ５０４  ４ｋ遅延回路、  ５０５  ２ｋ遅延回路、  ５０６  １ｋ遅延回路、  ５１１〜５１６  ガードインターバル比検出回路、  ５２１〜５２６  かけ算回路、  ５３１  排他論理和回路、  ６０１  ８ｋ遅延回路、  ６０２  ２ｋ遅延回路、  ６１１〜６１２  ガードインターバル比検出回路、  ６２１〜６２２  かけ算回路。
【図１】
2015130638.tif 000003
【図２】
2015130638.tif 000004
【図３】
2015130638.tif 000005
【図４】
2015130638.tif 000006
【図５】
2015130638.tif 000007
【図６】
2015130638.tif 000008
【図７】
2015130638.tif 000009
【図８】
2015130638.tif 000010
【図９】
2015130638.tif 000011
【図１０】
2015130638.tif 000012
【図１１】
2015130638.tif 000013
【図１２】
2015130638.tif 000014
【図１３】
2015130638.tif 000015
【図１４】
2015130638.tif 000016
【図１５】
2015130638.tif 000017
【図１６】
2015130638.tif 000018
【図１７】
2015130638.tif 000019
【図１８】
2015130638.tif 000020
【図１９】
2015130638.tif 000021